(57)【要約】【課題】メモリカード記録可能時間より放送時間の長い番組をメモリカードへ録画する際、複数のカードに継続して番組を録画することが可能なテレビジョン受像機を提供する。【解決手段】録画実行中にカード残容量が無くなると、メモリカード制御部１２は制御部８にメモリカード容量が無くなったことを通知し、制御部８はＯＳＤ表示回路５を制御しユーザにカード差し替えを促すメッセージを表示する。また、メモリカード制御部１２はカード挿抜検出手段を備え、カードが差し替えられると、制御部８に挿抜検出通知を行い、通知を受けた制御部８はメモリカード制御部１２制御し録画を継続実行させる。また、カード差し替えが行われるまでは、映像記憶用メモリ１４に録画が継続実行される。【選択図】図１
2006041661.tif 000002
【特許請求の範囲】
【請求項１】
テレビジョン放送をメモリカードに録画する機能を具備するテレビジョン受像機において、ＥＰＧ（電子情報番組表）を取得する手段、ＥＰＧを用いて録画予約する手段あるいは、現在視聴中の番組をメモリカードへ録画する手段、メモリカードへの録画可能時間を取得する手段、ＯＳＤによりメモリカードの状態をユーザに通知する手段を具備し、ＥＰＧから番組をメモリカードへ録画予約する際あるいは視聴中の番組を録画実行する際にメモリカードへの録画可能時間が番組時間に対して不足している場合、メモリ容量が不足している事をＯＳＤ表示するとともにメモリカード容量が無くなった場合、録画を継続実行するかユーザに選択を促すメッセージを表示する手段を具備することを特徴とするテレビジョン受像機。
【請求項２】
メモリカードへの録画実行中に記録残容量が少なくなるとメモリカード差し替えを行うか選択を促すメッセージをＯＳＤ表示によりユーザに通知する手段、メモリカード差し替えが選択された場合に録画を停止する手段と、メモリカードの挿抜を判定する手段、ユーザによりメモリカードが抜挿されると録画を再開する手段を具備し、メモリカードの録画可能時間よりも長い番組を録画する際に複数のメモリカードに継続して録画することを可能にすることを特徴とする請求項１記載のテレビジョン受像機。
【請求項３】
メモリカードの差し替えが行われるまでは映像記憶用メモリに録画を継続し、メモリカード差し替えまでの間、録画を途切れることなく実行することを可能にすることを特徴とする請求項１記載のテレビジョン受像機。
【請求項４】
ディスプレイ電源がオフされた状態でメモリカードへ録画実行している場合に、カード残容量が無くなったとき、ＬＥＤの点滅などによってユーザにカード残容量が無くなったことを通知する手段を具備しＬＥＤの点滅中にユーザによってカードが差し替えられると、自動的に録画実行を継続する手段を具備することを特徴とする請求項１記載のテレビジョン受像機。
【請求項５】
録画番組中のコマーシャル（ＣＭ）を検出する手段を具備し、録画中にカード残容量が少なくなると、ＣＭを検出した際に、録画先をメモリカードから映像記憶用メモリへ切換えることを可能にすることを特徴とする請求項１記載のテレビジョン受像機。
【請求項６】
録画予約終了後、メモリカード残容量があるとき、映像記憶用メモリの録画画像をメモリカードに移動する機能を具備し、その際、録画画像のタイムスタンプにより時系列に録画ファイルを並べ替えることを特徴とする請求項１記載のテレビジョン受像機。
【発明の詳細な説明】
【技術分野】
【０００１】
本発明はメモリカード録画機能内臓テレビジョン受像機に関するものである。
【背景技術】
【０００２】
昨今、テレビジョン番組を通勤時間帯などのモバイル使用環境時において鑑賞したいという期待が大きくなってきており、メモリカードにテレビジョン番組を録画可能なテレビジョン受像機が市場に出始めている。また、記録媒体であるメモリカードは大容量化も進んでいる。しかしながら、メモリカードの記録容量はハードディスクやＤＶＤディスクなどと比較して小さく、１枚のメモリカードに長時間番組を記録するためには画質モードを落とすなどの制限が生じている。また、従来のメモリカード録画機能内臓のテレビジョン受像機では記録可能時間より長時間の番組を録画する場合、特許文献１に開示されているようにメモリ残容量が無くなった時点で録画が停止し、継続録画するためには録画を再設定しなければならずユーザにとって負担を大きくさせるという欠点があった。
【０００３】
また、記録可能時間が無くなった場合、録画を継続する手段としては、特許文献２に開示されているように第一、第二の記録再生装置とが接続されているもので、第一の記録再生装置における記録媒体の記録可能時間が無くなったとき第二の記録再生装置に連続出力する方法がある。しかし、この方法ではメモリカードの挿抜によって、そのまま連続出力できないという欠点がある。
【特許文献１】特開２００２−６４７８２号公報
【特許文献２】特開２００２−１３５７０１号公報
【発明の開示】
【発明が解決しようとする課題】
【０００４】
解決しようとする課題は、メモリカードの記録可能時間より長い番組を録画する際、メモリカード残容量が少なくなると、カードの差替えを促すメッセージを表示し、メモリカードが差し替えられると録画を継続実行し、複数のカードに継続して録画することを可能にすることを目的とする。
【課題を解決するための手段】
【０００５】
前記課題を解決するために、本発明（請求項１）のテレビジョン受像機では、ＥＰＧ（電子情報番組表）を取得する手段、ＥＰＧから番組をメモリカードへ録画予約する手段あるいは、現在視聴中の番組をただちにメモリカードへ録画する手段、メモリカードへの記録可能時間を取得する手段、ＯＳＤによりメモリカードの状態をユーザに通知する手段、ＥＰＧから番組をメモリカードへ録画予約する際あるいは視聴中の番組を録画実行する際に録画可能時間が放送時間に対して不足している場合メモリ容量が不足していることをＯＳＤ表示するとともにメモリカード容量が無くなった場合、録画を継続実行するかユーザに選択を促すメッセージを表示する手段を具備するものである。
【０００６】
また、本発明（請求項２）のテレビジョン受像機は、メモリカードへの録画実行中に記録容量が残り少なくなるとメモリカード差し替えを行うか選択を促すメッセージをＯＳＤ表示しユーザに通知する手段を具備し、カードの差し替えが選択された場合に録画を停止する手段と、メモリカードの挿抜を判定する手段、ユーザによりメモリカードが再挿入されると録画を再開する手段を具備し、メモリカードの記録可能時間よりも長い番組を録画する際に複数のメモリカードに継続して記録することを可能にさせることを特徴とするものである。
【０００７】
また、本発明（請求項３）のテレビジョン受像機は、メモリカードの差し替えが行われるまでは、映像記憶用メモリに録画を継続しメモリカード差し替えまでの間、録画を途切れることなく実行することを可能にする事を特徴とするものである。
【０００８】
また、本発明（請求項４）のテレビジョン受像機は、ディスプレイの電源がオフされた状態でメモリカードへ録画実行している場合に、記録容量が無くなったとき、ＬＥＤの点滅によってユーザにカード残容量が無くなったことを通知し、ＬＥＤ点滅中にユーザによってカードが差し替えられると、自動的に録画実行を継続する手段を具備することを特徴とするものである。
【０００９】
また、本発明（請求項５）のテレビジョン受像機は、ＣＭを検出する手段を具備し、カード残容量が少なくなると、ＣＭを検出した際に、録画先をメモリカードから映像記憶用メモリへ切換えることを可能にする事を特徴とするものである。
【００１０】
また、本発明（請求項６）のテレビジョン受像機は、録画予約終了後、メモリカード残容量があるとき、映像記憶用メモリの録画ファイルをメモリカードに移動する機能を具備し、その際、録画ファイルのタイムスタンプにより時系列に録画ファイルを並べ替える事を特徴とする。
【発明の効果】
【００１１】
請求項１の本発明によれば、テレビジョン放送をメモリカードに録画する機能を具備するテレビジョン受像機において、ＥＰＧから番組をメモリカードへ録画予約する際あるいは視聴中の番組を録画実行する際に録画可能時間が番組時間に対して不足している場合、メモリ容量が不足していることをＯＳＤ表示するとともにメモリカード容量が無くなった場合、録画を継続実行するかユーザに選択を促すメッセージを表示することを可能にさせる。
【００１２】
請求項２の本発明によれば、メモリカードへの録画実行中に記録容量が無くなるとメモリカード差し替えを行うか選択を促すメッセージをＯＳＤによりユーザに通知し、ユーザによりメモリカードが差し替えられると録画を継続実行させ、メモリカードの記録可能時間よりも長い番組を録画する際に複数のメモリカードに跨って記録することを可能にさせる。
【００１３】
請求項３の本発明によれば、メモリカードの差し替えが行われるまでは、映像記憶用メモリに録画を継続し、メモリカード差し替えまでの間、録画を途切れることなく実行することを可能にさせる。
【００１４】
請求項４の本発明によれば、ディスプレイ電源がオフされた状態でメモリカードへ録画実行している場合に、記録残容量が無くなったとき、ＬＥＤの点滅などによってユーザにカード残容量が無くなったことを通知し、ＬＥＤの点滅中にユーザによってカードが差し替えられると、自動的に録画実行を継続することを可能にさせる。
【００１５】
請求項５の本発明によれば、番組のＣＭの切り替わりを検知し、メモリカードにテレビ番組録画中にカード残容量が少なくなると、ＣＭへの切り替わりを検知した際に、ＣＭ中に映像記録先をメモリカードから映像記憶用メモリへ切換えることを可能にさせる。
【００１６】
請求項６の本発明によれば、録画予約終了後、メモリカード残容量があるとき、映像記憶用メモリの録画ファイルをメモリカードに移動し、その際に録画画像のタイムスタンプにより時系列に録画画像ファイルを並べ替える事を可能にさせる。
【発明を実施するための最良の形態】
【００１７】
（実施の形態１）
以下、本発明の実施形態を図１から図５を用いて説明する。図１は本発明の実施の一例であるテレビジョン受像機のブロック構成図を示す。アナログチューナ１はアナログ地上放送波、デジタルチューナ２は衛星デジタル・地上波デジタル放送波をそれぞれＡＶ信号に変換し、変換されたＡＶ信号は信号切換部３に送られる。またデジタル放送あるいはアナログ地上波放送から得られる番組情報、時刻情報、音声情報は制御部８に通知され、番組情報は番組情報記憶装置１１に記録される。
【００１８】
制御部８はリモコン送信機６からのリモコン信号がリモコン受光部７を介して入力される。また、制御部８はアナログチューナ１およびデジタルチューナ２に選局のための情報を送るとともに信号切換部３に切換信号を送る。制御部８とメモリカード制御部１２は双方向で通信を行い、ユーザによりメモリカードの挿抜操作が行われると、制御部８はメモリカード制御部１２からメモリカードスロット１３に挿入されているカード情報を受け取る。またユーザによってメモリカード録画や再生の操作が行われると、制御部８はカード情報より操作が可能であるか判定しメモリカードに対して録画・再生コマンドを送信する。録画時には制御部８は録画コマンドとともに地上波放送あるいはデジタル放送から取得した時刻情報通知、録画対象選択通知をメモリカード制御部１２に送信する。また、制御部８はアナログチューナ１、デジタルチューナ２から得られる音声信号の音声モード（ステレオ放送、モノラル、二ヶ国語）の変化により録画番組の本編からＣＭに遷移したと判定する。また、制御部８はディスプレイ５に表示するためのオンスクリーン情報を作成しＯＳＤ表示回路９に送る。
【００１９】
メモリカード制御部１２はＭＰＥＧエンコーダ，デコーダを備え、制御部８より録画コマンドを受信すると信号切換部３から入力されたＡＶ信号をエンコードし、メモリカードスロット１３に挿入されたメモリカードあるいは映像記憶用メモリ１４に映像・音声データを記録する。このとき、映像・音声データ記録とともに時刻（タイムスタンプ）を書き込む。また再生時はメモリカードからのＭＰＥＧデータをデコードし信号切換部３にデコードされたＡＶ信号を出力する。また、メモリカードスロット１３からメモリカードの挿抜が行われるとメモリカード制御部１２は制御部８に対してカード挿抜を通知する。また、録画実行中にメモリカードの残容量が無くなると、メモリカード制御モジュールは録画実行を停止し、制御部８に対して残容量が無くなったことを通知する。
【００２０】
ＬＥＤ１０は制御部８からの制御信号によって点灯する。信号切換部３は、制御部８から送られる切換信号に基づいて、アナログＡＶ信号とデジタルＡＶ信号とその他外部入力などの切換を行う。映像ＯＳＤ合成部４は、信号切換部３より出力されるＡＶ信号とＯＳＤ表示回路９から出力されるオンスクリーン信号を合成しディスプレイ５に出力する。
【００２１】
映像記憶用メモリ１４は、録画実行中にメモリカード容量が無くなり、カードの差替えが行われるまで映像信号を一時記録する不揮発性メモリである。ＨＤＤ、ＤＶＤなど記録装置が内部に搭載されている場合、それらで代用可能である。また、メモリカードスロットが複数搭載されている場合には第２スロットに挿入されたメモリカードを用いてもよい。
【００２２】
図２はメモリカード録画実行あるいは予約実行時に番組時間に対してメモリカードの残容量が不足しているときにユーザに対して残容量不足であることを通知し、残容量が無くなったとき、複数のカードを用いて録画を継続するかどうか選択を促すメッセージの一例を示している。
【００２３】
図３は録画実行中にカード残容量が少なくなると、ユーザに対してメモリカード差し替えを促すメッセージの一例を示している。
【００２４】
図４はＥＰＧから番組をメモリカードへ録画予約する場合、あるいは視聴中の番組を録画する場合、番組の放送時間に対してカード記録可能時間が不足している場合にカード残容量が不足していることをメッセージ表示するまでの処理手順を示している。ＥＰＧから番組の録画予約操作（Ｓ４０１）が行われると、制御部８は番組情報記憶装置１１より該当の番組の放送時間を取得する（Ｓ４０２）。また、制御部８はメモリカード制御部１２からメモリカードスロット１３に挿入されているメモリカードの記録可能時間を取得する（Ｓ４０３）。制御部８は取得した放送時間と記録可能時間と比較する（Ｓ４０４）。記録可能時間が録画時間より短い場合には制御部８は残容量不足メッセージ（図２）を表示する（Ｓ４０５）。ユーザによって複数カードへの録画が選択された場合（Ｓ４０６でＹＥＳ）のとき、録画継続設定状態にする（Ｓ４０７）。
【００２５】
図５はメモリカードにテレビ番組を録画実行し、録画継続設定状態のときの録画処理の流れを示している。メモリカードへ録画実行中に制御部８はカード残記録時間をメモリカード制御部１２より取得する（Ｓ５０１）、カード残記録時間が一定時間より少なくなると（Ｓ５０２）、メモリカード残容量が少なくなったことをメッセージ（図３）によりユーザに通知する（Ｓ５０３）。ユーザによってカード差替えが選択された場合（Ｓ５０４でＹＥＳ）、録画中の音声情報が変化しＣＭに切り替わったと判定された場合（Ｓ５０５でＹＥＳ）、メモリカード容量が無くなり、カード残容量無し通知がメモリカード制御部１２から制御部８に通知された場合（Ｓ５０６でＹＥＳ）のとき、制御部８はメモリカードへの録画を停止させ、映像記憶メモリ１４に録画を継続実行させる（Ｓ５０７）。
【００２６】
ユーザによってメモリカードの差し替えが行われると（Ｓ５０８でＹＥＳ）、メモリカード制御部１２はカード挿抜通知を制御部８に対して送信する（Ｓ５０９）。制御部８はメモリカード制御部１２からカード残記録時間を取得し（Ｓ５１０）、メモリカードに記録可能であれば（Ｓ５１１でＹＥＳ）、メモリカード制御部１２に対して録画実行コマンドを送信し、録画開始コマンドを受信したメモリカード制御部１２は映像記憶メモリ１４の録画を停止させメモリカードに録画を開始する（Ｓ５１２）。
【００２７】
図６はメモリカードにテレビ番組を録画実行し、録画継続設定状態でディスプレイ電源がオフのときの、録画処理の流れを示している。メモリカード録画実行中に制御部８はカード残記録時間をメモリカード制御部１２より取得する（Ｓ６０１）。カード残記録時間が一定時間より少なくなると（Ｓ６０２でＹＥＳ）、録画中の音声情報が変化しＣＭに切り替わったと判定された場合（Ｓ６０３ＹＥＳ）、メモリカード容量が無くなり、カード残容量無し通知がメモリカード制御部１２から制御部８に通知された場合（Ｓ６０４でＹＥＳ）のとき、制御部８はメモリカードへの録画を停止させ、映像記憶メモリ１４に録画を継続実行させ（Ｓ６０５）、制御部８はＬＥＤ１０を制御しＬＥＤを点滅させる（Ｓ６０６）。
【００２８】
ユーザによってメモリカードの差し替えが行われると（Ｓ６０７でＹＥＳ）、メモリカード制御部１２はカード挿抜通知を制御部８に対して送信する（Ｓ６０８）。制御部８はメモリカード制御部１２からカード残記録時間を取得し（Ｓ６０９）、メモリカードに記録可能であれば（Ｓ６１０でＹＥＳ）、メモリカード制御部１２に対して録画実行コマンドを送信し、録画開始コマンドを受信したメモリカード制御部１２は映像記憶メモリ１４の録画を停止し、メモリカードに録画を開始する（Ｓ６１１）。制御部８はＬＥＤ１０を制御しＬＥＤを消灯する（Ｓ６１２）。
【００２９】
図７は録画終了後、映像記録メモリに一時記録された映像をメモリカードに移動するまでの流れを示している。録画終了後（Ｓ７０１）、制御部８はメモリカード制御部１２からカード残記録時間を取得し（Ｓ７０２）、映像記憶用メモリ１４に録画した録画時間と比較しカード残記録時間が長いとき（Ｓ７０３でＹＥＳ）のとき、制御部８はメモリカード制御部１２を制御し、映像ファイルをメモリカードに移動する（Ｓ７０４）。メモリカード制御部１２は録画した映像ファイルのタイムスタンプを元に時系列に並び変える（Ｓ７０５）。
【産業上の利用可能性】
【００３０】
本発明のテレビジョン受像機は、複数のカードスロットを搭載することによってカードを差し替えなくとも連続してメモリカードへの記録することを可能にし、内部に映像記憶用メモリが確保できない場合においても外部のメモリカードを用いることにより適用できる。
【図面の簡単な説明】
【００３１】
【図１】テレビジョン受像機の構成を示すブロック図
【図２】カード残容量不足時の表示メッセージの一例を示す図
【図３】メモリカード差し替えメッセージの一例を示す図
【図４】カード容量不足時のメッセージ表示処理を示すフローチャート
【図５】ディスプレイ電源オン時の録画処理を示すフローチャート
【図６】ディスプレイ電源オフ時の録画処理を示すフローチャート
【図７】一時記憶された録画データをメモリカードに移動する処理を示すフローチャート
【符号の説明】
【００３２】
１    アナログチューナ
２    デジタルチューナ
３    信号切換部
４    画像ＯＳＤ合成部
５    ディスプレイ
６    リモコン送信機
７    リモコン受光部
８    制御部
９    ＯＳＤ表示回路
１０    ＬＥＤ
１１    番組情報記憶装置
１２    メモリカード制御部
１３    メモリカードスロット
１４    映像記憶用メモリ
【図１】
2006041661.tif 000003
【図２】
2006041661.tif 000004
【図３】
2006041661.tif 000005
【図４】
2006041661.tif 000006
【図５】
2006041661.tif 000007
【図６】
2006041661.tif 000008
【図７】
2006041661.tif 000009